(57)【要約】【課題】ローカルフィット性の高いテレビジョン放送受信装置を提供する。【解決手段】プラグ形状判定回路基板１３０は、複数の形状のプラグが挿入可能なプラグ挿入口１３１が設けられ、プラグ挿入口１３１にＡＣコード１２０のプラグ１２１を挿入すると、プラグ形状判定回路基板１３０の複数のスイッチの中からプラグ１２１の形状に応じていくつかのスイッチがオンとなる。プラグ形状判定回路基板１３０はこのスイッチの入切状態を検出すると、出力信号１及び出力信号２に設定しマイコン１４０に出力する。マイコン１４０の仕向地判別処理部１４１は、スイッチの入切状態からＡＣコード１２０のプラグ１２１のプラグ形状を判定する。仕向地判別処理部１４１は、電圧周波数検出処理部１１１から入力する電圧と周波数、及び判定されたプラグ形状に基づいて仕向地判別データテーブル１５２から仕向地を取り出し、仕向地設定処理部１６０に出力する。【選択図】図３
2013187882.tif 000002
【特許請求の範囲】
【請求項１】
複数の形状の電源コードのプラグが挿入可能なプラグ挿入口と、
前記プラグ挿入口に前記プラグが挿入されたときにプラグ形状を判定するプラグ形状判定手段と、
を備えることを特徴とするテレビジョン放送受信装置。
【請求項２】
前記プラグ挿入口に挿入された前記プラグの種類によって回路状態が変化する形状判定回路を備え、
前記プラグ形状判定手段は前記形状判定回路の回路状態をもとに前記プラグのプラグ形状を判定することを特徴とする請求項１に記載のテレビジョン放送受信装置。
【請求項３】
前記プラグ挿入口に前記電源コードの前記プラグが挿入されたときに前記形状判定回路の回路状態が記憶されることを特徴とする請求項２に記載のテレビジョン放送受信装置。
【請求項４】
供給される電力の電圧と周波数を検出する電圧周波数検出手段と、
前記電圧、前記周波数、及び前記プラグ形状に基づいて仕向地を判別する仕向地判別手段と、
を備えることを特徴とする請求項１から請求項３のいずれか１項に記載のテレビジョン放送受信装置。
【請求項５】
複数の形状の電源コードのプラグが挿入可能なプラグ挿入口に前記プラグが挿入されたときにプラグ形状に応じた情報を記憶するプラグ形状記憶工程と、
前記電源コードの前記プラグが住宅用電源のプラグ挿入口に挿し込まれたとき前記プラグ形状記憶工程の情報に応じて出力される形状判定回路状態信号を入力する形状判定信号入力工程と、
前記形状判定回路状態信号により前記プラグの形状を判定するプラグ形状判定工程と、
前記電源コードの前記プラグが住宅用電源のプラグ挿入口に挿し込まれたとき供給される電力の電圧と周波数を検出する電圧周波数検出工程と、
前記電圧、前記周波数、及び前記プラグ形状に基づいて仕向地を判別する仕向地判別工程と、
を備えることを特徴とするテレビジョン放送受信装置の仕向地判定方法。
【発明の詳細な説明】
【技術分野】
【０００１】
本発明は、テレビジョン放送を受信するテレビジョン放送受信装置に係り、特にテレビジョン放送受信装置が設置される国や地域（以下、仕向地という）を自動的に判定するテレビジョン放送受信装置、及びテレビジョン放送受信装置の仕向地判定方法に関する。
【背景技術】
【０００２】
現状、輸出用のテレビジョン放送受信装置においては、個々の国や地域の仕様に応じて設計されるのでなく、多くの国や地域で共通に使用できるように設計されている。しかし、このように多くの国や地域で共通に使用できるよう設計されているため、テレビジョン放送受信装置に最初に電力が供給されたときに、ユーザー自身が設置する国や地域に応じた設定を行わなければならない。このため、ユーザーはテレビジョン放送受信装置が自国専用に製造されたものではないことを感じることで、テレビジョン放送受信装置に対して抱くイメージが低下することがある。
【０００３】
仕向地を自動的に判別できる技術として特開２００１−１４７６８３号公報（特許文献１）を挙げることができる。特許文献１には、表示手段にオンスクリーン表示されるメニュー画面の言語選択モードにおいて、言語自動選択（「ＡＵＴＯ」モード）を選択することにより得られるＡＵＴＯモード出力の結果である言語自動選択の結果と、日本国内と外国とのＡＣ電源電圧の違いの検出結果に基づいて、表示手段に自動的に該当する国の言語表示を行うようにすることで、オンスクリーン表示言語を自動選択することができる技術が記載されている。
【先行技術文献】
【特許文献】
【０００４】
【特許文献１】特開２００１−１４７６８３号公報
【発明の概要】
【発明が解決しようとする課題】
【０００５】
上記のように、特許文献１に開示の技術におけるオンスクリーン言語自動設定方法では、表示手段に表示するオンスクリーン言語については自動的に設定することができる。しかし、オンスクリーン言語の設定を行う前に、テレビジョン放送受信装置に電力を供給するために商用電源（以下、ＡＣ電源という）に接続する必要がある。しかし、仕向地毎にＡＣ電源の電圧及び周波数が異なるので、テレビジョン放送受信装置にＡＣ電源が供給されるときに、仕向地の電圧及び周波数の設定を行う必要があった。
【０００６】
本発明はこのような状況に鑑みてなされたものであり、上記課題を解決できる技術を提供することを目的とする。
【課題を解決するための手段】
【０００７】
本発明のテレビジョン放送受信装置は、複数の形状の電源コードのプラグが挿入可能なプラグ挿入口と、前記プラグ挿入口に前記プラグが挿入されたときにプラグ形状を判定するプラグ形状判定手段と、を備えることを特徴としている。
また、本発明のテレビジョン放送受信装置は、前記プラグ挿入口に挿入された前記プラグの種類によって回路状態が変化する形状判定回路を備え、前記プラグ形状判定手段は前記形状判定回路の回路状態をもとに前記プラグのプラグ形状を判定することを特徴としている。
また、本発明のテレビジョン放送受信装置は、前記プラグ挿入口に前記電源コードの前記プラグが挿入されたときに前記形状判定回路の回路状態が記憶されることを特徴としている。
また、本発明のテレビジョン放送受信装置は、供給される電力の電圧と周波数を検出する電圧周波数検出手段と、前記電圧、前記周波数、及び前記プラグ形状に基づいて仕向地を判別する仕向地判別手段と、を備えることを特徴としている。
また、本発明のテレビジョン放送受信装置の仕向地判定方法は、複数の形状の電源コードのプラグが挿入可能なプラグ挿入口に前記プラグが挿入されたときにプラグ形状に応じた情報を記憶するプラグ形状記憶工程と、前記電源コードの前記プラグが住宅用電源のプラグ挿入口に挿し込まれたとき前記プラグ形状記憶工程の情報に応じて出力される形状判定回路状態信号を入力する形状判定信号入力工程と、前記形状判定回路状態信号により前記プラグの形状を判定するプラグ形状判定工程と、前記電源コードの前記プラグが住宅用電源のプラグ挿入口に挿し込まれたとき供給される電力の電圧と周波数を検出する電圧周波数検出工程と、前記電圧、前記周波数、及び前記プラグ形状に基づいて仕向地を判別する仕向地判別工程と、を備えることを特徴としている。
【発明の効果】
【０００８】
本発明によれば、テレビジョン放送受信装置が多くの国や地域で共通に使用できるように設計されている場合においても、テレビジョン放送受信装置に最初に電力が供給されるときに、設定の手間を省くことができる。また、テレビジョン放送受信装置のローカルフィット性が高まるので、テレビジョン放送受信装置に対するユーザーのイメージを向上させることができる。
【図面の簡単な説明】
【０００９】
【図１】本発明の実施形態に係るテレビジョン放送受信装置におけるＡＣコードの格納方法を説明する図である。
【図２】本発明の実施形態に係る住宅用電源における挿入口のプラグ形状を説明する図である。
【図３】本発明の実施形態に係るテレビジョン放送受信装置の機能構成を説明する図である。
【図４】本発明の実施形態に係る仕向地判別データテーブルの構成を示す図である。
【図５】本発明の実施形態に係るオンスクリーン言語選択用データテーブルの構成を示す図である。
【図６】本発明の実施形態に係るプラグ形状判別回路により挿入口のプラグ形状を判別する方法を説明する図である。
【図７】本発明の実施形態に係る仕向地言語と仕向地を判定する手順を説明する図である。
【発明を実施するための形態】
【００１０】
本発明は、複数の形状のプラグが格納できる場所をテレビジョン放送受信装置の後ろ側の面（以下、後面という）に設け、テレビジョン放送受信装置の梱包時に、この格納場所にテレビジョン放送受信装置のＡＣ電源のコード（以下、ＡＣコードという）のプラグを挿入することでプラグ形状を判定する。更に、テレビジョン放送受信装置のＡＣコードをＡＣ電源に接続したときに検出する電圧と周波数、及び格納場所にＡＣコードのプラグを挿入することで判定されたプラグ形状により、テレビジョン放送受信装置の仕向地を判別するものである。以下、本発明を実施するための実施の形態（以下、「実施形態」という）を、図面を参照して説明する。
【００１１】
まず、実施形態におけるテレビジョン放送受信装置１００の梱包時におけるＡＣコード１２０の格納方法について、図１を用いて説明する。テレビジョン放送受信装置１００では、国や地域に対応した形状のプラグ１２１を備えたＡＣコード１２０が直接取り付けられ、梱包時にＡＣコード１２０のプラグ１２１はテレビジョン放送受信装置１００のプラグ挿入口１３１に格納される。図１（１）は、テレビジョン放送受信装置１００を後面の方向から見た図である。図１（１）に示すように、テレビジョン放送受信装置１００の後面には、電源基板１１０が設けられ、電源基板１１０にはＡＣコード１２０が接続されている。ＡＣコード１２０の先端にはプラグ１２１を備えている。また、テレビジョン放送受信装置１００の後面には、プラグ形状判定回路基板１３０が設けられ、プラグ形状判定回路基板１３０には、プラグ挿入口１３１が設けられている。プラグ挿入口１３１は、複数の形状のプラグを挿入することが可能である。プラグ挿入口１３１の形状については、後述する。電源基板１１０及びプラグ形状判定回路基板１３０は、テレビジョン放送受信装置１００の内部に設けられている機器である。電源基板１１０、ＡＣコード１２０、及びプラグ形状判定回路基板１３０の機能については、後述する。図１（２）は、テレビジョン放送受信装置１００を側面から見た図である。テレビジョン放送受信装置１００のＡＣコード１２０が備えるプラグ１２１は、テレビジョン放送受信装置１００を梱包するときに、図１（２）に示すようにプラグ形状判定回路基板１３０に設けられているプラグ挿入口１３１に挿入することで格納される。
【００１２】
次に、プラグ挿入口１３１の形状について図２を用いて説明する。図２（１）は、Ｔｙｐｅ−Ａのプラグを挿入したときのプラグ挿入口１３１を示している。図２（２）は、Ｔｙｐｅ−ＢＦのプラグを挿入したときのプラグ挿入口１３１を示している。図２（３）は、Ｔｙｐｅ−Ｓのプラグを挿入したときのプラグ挿入口１３１を示している。図２（４）は、Ｔｙｐｅ−Ｃのプラグを挿入したときのプラグ挿入口１３１を示している。ＡＣコード１２０のプラグ１２１の形状は、国や地域により異なっているが、図２の（１）から（４）に示すように、プラグ挿入口１３１の形状は全て同じである。例えば、プラグ形状が「Ｔｙｐｅ−Ａ」であるときには、図２（１）に示すように「Ｔｙｐｅ−Ａ」の垂直な一方のピン１ａをピン挿入口３１に挿入し、垂直な他方のピン１ｂをピン挿入口３２に挿入する。プラグ形状が「Ｔｙｐｅ−ＢＦ」であるときには、図２（２）に示すように「Ｔｙｐｅ−ＢＦ」の水平な一方のピン２ａをピン挿入口３１に挿入し、水平な他方のピン２ｂをピン挿入口３２に挿入し、また垂直なピン２ｃをピン挿入口３３に挿入する。プラグ形状が「Ｔｙｐｅ−Ｓ」であるときには、図２（３）に示すように「Ｔｙｐｅ−Ｓ」の傾きのある一方のピン３ａを挿入口３１に挿入し、傾きのある他方のピン３ｂをピン挿入口３２に挿入する。プラグ形状が「Ｔｙｐｅ−Ｃ」であるときには、図２（４）に示すように「Ｔｙｐｅ−Ｃ」の一方の丸ピン４ａをピン挿入口３１に挿入し、他方の丸ピン４ｂをピン挿入口３２に挿入する。このように、プラグ挿入口１３１をピン挿入口３１、ピン挿入口３２、及びピン挿入口３３により形成することで、プラグ挿入口１３１には複数の形状のプラグを挿入することが可能となる。
【００１３】
次に、テレビジョン放送受信装置１００の機能構成について図３を用いて説明する。図３に示すように、テレビジョン放送受信装置１００は、電源基板１１０、ＡＣコード１２０、プラグ形状判定回路基板１３０、マイコン１４０、ＥＥＰＲＯＭ（Electrically Erasable Programmable Read-Only Memory）１５０、及び仕向地設定処理部１６０から構成されている。電源基板１１０は、電圧周波数検出処理部１１１を備えている。プラグ形状判定回路基板１３０は、形状判別回路３０を備えている。マイコン１４０は、仕向地判別処理部１４１を備えている。ＥＥＰＲＯＭ１５０は、形状判定回路状態データテーブル１５１、仕向地判別データテーブル１５２、及びオンスクリーン言語選択用データテーブル１５３を備えている。なお、図３に示す住宅用電源２００は、商用電源の電力を住宅の各装置や機器に供給するものである。住宅用電源２００のプラグ挿入口２０１にＡＣコード１２０のプラグ１２１を挿入すると、テレビジョン放送受信装置１００に電力が供給される。
【００１４】
電源基板１１０は、ＡＣコード１２０を経由して住宅用電源２００から電力を入力して各部のパワー電源や各種の制御電源等の生成等を行い、テレビジョン放送受信装置１００の各機器に電力を供給する。電圧周波数検出処理部１１１は、入力電力から電圧と周波数を検出し、マイコン１４０に出力する。ＡＣコード１２０は、住宅用電源２００と電源基板１１０とを接続する電源コードである。ＡＣコード１２０のプラグ１２１は、テレビジョン放送受信装置１００が梱包されるときには、プラグ形状判定回基板１３０に接続されるプラグ挿入口１３１に挿入される。また、ＡＣコード１２０のプラグ１２１は、テレビジョン放送受信装置１００に電力を供給するときに、プラグ挿入口１３１から引き抜かれ、住宅用電源２００のプラグ挿入口２０１に挿入される。また、プラグ形状判定回路基板１３０は、複数の形状のプラグが挿入可能な図２に示すプラグ挿入口１３１を備えている。プラグ形状判定回路基板１３０のプラグ挿入口１３１にＡＣコード１２０のプラグ１２１を挿入すると、プラグ形状判定回路基板１３０に設けられている複数のスイッチと出力端子から構成される形状判定回路３０が、プラグ１２１の形状に応じていくつかのスイッチをオン（入り）とする。プラグ形状判定回路基板１３０は形状判定回路３０の出力端子からスイッチの入切状態を入力すると、スイッチの入切状態を形状判定回路状態データに設定し、出力信号１及び出力信号２によりマイコン１４０に出力する。形状判定回路３０及び形状判定回路状態データのスイッチ入切状態によりＡＣコード１２０のプラグ１２１の形状を判別する方法については、後述する。
【００１５】
マイコン１４０は、テレビジョン放送受信装置１００全体を制御する。マイコン１４０は、プラグ形状判別回路１３０から出力信号１及び出力信号２の形状判定回路状態データを入力すると、形状判定回路状態データをＥＥＰＲＯＭ１５０の形状判定回路状態データテーブル１５１に設定する。また、マイコン１４０の仕向地判別処理部１４１は、ＡＣコード１２０のプラグ１２１が住宅用電源２００のプラグ挿入口２０１に挿入されることでテレビジョン放送受信装置１００に電力が供給されたときに起動される。仕向地判別処理部１４１は、電圧周波数検出処理部１１１から電圧と周波数を入力し、形状判定回路状態データテーブル１５１の形状判定回路状態データからプラグ形状を判定する。また、仕向地判別処理部１４１は、この電圧、周波数、及びプラグ形状に対応する仕向地を仕向地判別データテーブル１５２に基づいて判別し、判別した仕向地を仕向地設定処理部１６０に出力する。仕向地判別データテーブル１５２の構成、仕向地判別処理部１４１が仕向地を判別する方法については、後述する。
【００１６】
ＥＥＰＲＯＭ１５０は、データの書き換え可能な不揮発性メモリである。形状判定回路状態データテーブル１５１には、プラグ形状判別回路基板１３０に設けられている形状判定回路３０の形状判定回路状態データが設定されている。仕向地判別データテーブル１５２は、図４に示すように「仕向地（国名）」毎にその国で用いられている「住宅用公称電圧」、「周波数」、及び「プラグ形状」が設定されている。オンスクリーン言語選択用データテーブル１５３は、図５に示すように「仕向地（国名）」毎にその国で用いられている「主要言語」が設定されている。複数の言語が用いられている場合には、その国で主に用いられている第１の言語、第２の言語、及び第３の言語が「主要言語」に設定される。
【００１７】
次に、形状判定回路３０及び形状判定回路状態データのスイッチ入切状態によりＡＣコード１２０のプラグ１２１の形状を判別する方法について、図６と図２を用いて説明する。図６（１）は、図２に示すピン挿入口３１に配置されているスイッチ３１ａ、スイッチ３１ｂ、スイッチ３１ｃ、スイッチ３１ｄ、及びスイッチ３１ｅの５つのスイッチを示す図である。図６（２）は、スイッチ３１ａからスイッチ３１ｅと、抵抗Ｒ１、抵抗Ｒ２、抵抗Ｒ３、スイッチ３１ａからスイッチ３１ｅのスイッチ状態に対応した電圧が出力される出力端子４１及び出力端子４２により構成される形状判定回路３０を示す図である。例えば、抵抗Ｒ２は、抵抗Ｒ１の「１／２倍」とする。また、抵抗Ｒ３は、抵抗Ｒ１の「約１００倍」とする。抵抗Ｒ３は、スイッチ３１ａとスイッチ３１ｅが同時に「オフ」したときに出力端子４１の電位を０に確定させ、またスイッチ３１ｂ、スイッチ３１ｃ、及びスイッチ３１ｄが同時に「オフ」したときに出力端子４２の電位を０に確定させるための抵抗である。なお、抵抗Ｒ１、抵抗Ｒ２、抵抗Ｒ３の上記組合せは一例であって、プラグ１２１の種別が判別できるように出力端子４１、出力端子４２から異なる電圧が出力されれば上記の抵抗値でなくてもよい。
【００１８】
図６（１）に示すように配置されたスイッチにおいて、「Ｔｙｐｅ−Ａ」の形状のプラグ１２１がプラグ挿入口１３１に挿入されると、図２（１）に示す「Ｔｙｐｅ−Ａ」のピン１ａにより、図６（１）に示すスイッチ３１ａ、スイッチ３１ｂ、及びスイッチ３１ｃが「オン」になる。これにより、図６（２）に示す出力端子４１にスイッチ３１ａの「オン」に対応した電圧「Ｖｃｃ」が出力され、出力端子４２にスイッチ３１ｂとスイッチ３１ｃの「オン」に対応した電圧「１／２Ｖｃｃ」が出力される。また、「Ｔｙｐｅ−ＢＦ」の形状のプラグ１２１がプラグ挿入口１３１に挿入されると、図２（２）に示す「Ｔｙｐｅ−ＢＦ」のピン２ａにより、図６（１）に示すスイッチ３１ｂとスイッチ３１ｄが「オン」になる。これにより、図６（２）に示す出力端子４１には電圧が「０」で出力され、出力端子４２にスイッチ３１ｂとスイッチ３１ｄの「オン」に対応した電圧「１／３Ｖｃｃ」が出力される。また、「Ｔｙｐｅ−Ｓ」の形状のプラグ１２１がプラグ挿入口１３１に挿入されると、図２（３）に示す「Ｔｙｐｅ−Ｓ」のピン３ａにより、図６（１）に示すスイッチ３１ａとスイッチ３１ｅが「オン」になる。これにより、図６（２）に示す出力端子４１にスイッチ３１ａとスイッチ３１ｅの「オン」に対応した電圧「１／２Ｖｃｃ」が出力され、出力端子４２には電圧が「０」で出力される。また、「Ｔｙｐｅ−Ｃ」の形状のプラグ１２１がプラグ挿入口１３１に挿入されると、図２（４）に示す「Ｔｙｐｅ−Ｃ」のピン４ａにより、図６（１）に示すスイッチ３１ｂとスイッチ３１ｃが「オン」になる。これにより、図６（２）に示す出力端子４１には電圧が「０」で出力され、出力端子４２にスイッチ３１ｂとスイッチ３１ｃの「オン」に対応した電圧「１／２Ｖｃｃ」が出力される。
【００１９】
図１に示すようにプラグ挿入口１３１は、全ての形状のプラグに対応するものである。テレビジョン放送受信装置１００を梱包するときに、このプラグ挿入口１３１にプラグ１２１を挿し込むことで、ＡＣコード１２０のプラグ１２１を格納する。そのときに、ＡＣコード１２０のプラグ１２１の形状に応じてピンが挿し込まれる位置が異なることを利用し、プラグ挿入口１３１の後部にプラグ１２１により押し込まれるスイッチを配置した形状判別回路３０を設ける。スイッチは電子スイッチまたは上記したように物理スイッチ３１ａ〜３１ｅを使用する。物理スイッチの場合は、一度押し込まれたら戻らない構造、あるいはリセット機能により再設定可能な仕組みとする。電子スイッチの場合は、キャパシタを搭載しておき、生産工程で電源をいれたときにキャパシタに電力をチャージさせる。その電力でプラグ１２１を挿し込み時にマイコン１４０を駆動させ、マイコン１４０からＥＥＰＲＯＭ１５０の形状判定回路状態データテーブル１５１にスイッチが押されているか否かのスイッチの入切状態を記憶する。
【００２０】
このように、プラグ形状判定回路基板１３０は、プラグ挿入口１３１のピン挿入口３１に形状判定回路３０のスイッチ３１ａ、スイッチ３１ｂ、スイッチ３１ｃ、スイッチ３１ｄ、及びスイッチ３１ｅの５つのスイッチを配置することで、出力端子４１に出力される情報を出力信号１に設定し、出力端子４２に出力される情報を出力信号２に設定し、マイコン１４０に出力信号１と出力信号２を出力する。マイコン１４０の仕向地判別処理部１４１は、出力信号１と出力信号２の情報に基づいて、ＡＣコード１２０のプラグ１２１の形状を判別することができる。
【００２１】
次に、仕向地判別処理部１４１による仕向地判別方法と、仕向地設定処理部１６０による仕向地設定方法について、図４、図５、及び図７を用いて説明する。まず、仕向地判別処理部１４１は、形状判定回路状態データテーブル１５１の形状判定回路状態データからプラグ形状を判定すると、そのプラグ形状の「仕向地（国名）」を図４に示す仕向地判別データテーブル１５２から取り出す。例えば、仕向地判別データテーブル１５２における図７（１）に示す「仕向地（国名）」と「プラグ形状」の対応において、「プラグ形状」が「Ｔｙｐｅ−Ｃ」のときには、「仕向地（国名）」の「インドネシア」、「タイ」、「ベトナム」、及び「インド」が適合していると判定される。次いで、仕向地判別処理部１４１は、適合していると判定された「仕向地（国名）」に対応する「住宅用公称電圧」と「周波数」を仕向地判別データテーブル１５２から取り出し、電圧周波数検出処理部１１１から入力した電圧と周波数と適合しているものがあるかを判定する。次いで、仕向地判別処理部１４１は、電圧周波数検出処理部１１１から入力した電圧と周波数に適合する「住宅用公称電圧」と「周波数」に対応する「仕向地（国名）」を取り出し、仕向地設定処理部１６０に出力する。例えば、仕向地判別データテーブル１５２における図７（２）に示す「仕向地（国名）」と、「住宅用公称電圧」及び「周波数」の対応において、「仕向地（国名）」が「インドネシア」、「タイ」、「ベトナム」、及び「インド」と判別され、電圧周波数検出処理部１１１から入力した電圧が「２３０Ｖ」、周波数が「５０Ｈｚ」のときには、適合する「仕向地（国名）」は「インド」だけとなり、「仕向地（国名）」の「インド」が仕向地設定処理部１６０に出力される。または、「仕向地（国名）」が「インドネシア」、「タイ」、「ベトナム」、及び「インド」と判別され、電圧周波数検出処理部１１１から入力した電圧が「２２０Ｖ」、周波数が「５０Ｈｚ」のときには、適合する「仕向地（国名）」は「インドネシア」、「タイ」、及び「ベトナム」となり、「仕向地（国名）」の「インドネシア」、「タイ」、及び「ベトナム」が仕向地設定処理部１６０に出力される。
【００２２】
次に、仕向地判別処理部１４１から１つの「仕向地（国名）」が出力された場合は、仕向地設定処理部１６０は、その国名を仕向地として設定し、図７（３）（ア）に示すようなオンスクリーン言語選択メニュー画面１７１を「英語」により表示する。このときに、オンスクリーン言語選択用データテーブル１５３からその「仕向地（国名）」に対応する「主要言語」と、「英語」をオンスクリーン言語選択メニュー画面１７１に表示する。このオンスクリーン言語選択メニュー画面１７１からユーザーが選択した言語がテレビジョン放送受信装置１００における出力言語となる。例えば、「仕向地（国名）」が「台湾」だけであれば、オンスクリーン言語選択用データテーブル１５３において対応する「主要言語」における第１の言語である「中国語」と、常に表示する「英語」、及び「Please select the language(言語を選択して下さい)」がオンスクリーン言語選択メニュー画面１７１に表示される。次いで、ユーザーが「英語」を選択するとテレビジョン放送受信装置１００の出力言語が「英語」に設定される。
【００２３】
また、仕向地判別処理部１４１から複数の「仕向地（国名）」が出力された場合は、仕向地設定処理部１６０は、図７（３）（イ）に示すようなオンスクリーン言語選択メニュー画面１７２を「英語」により表示する。このときに、オンスクリーン言語選択用データテーブル１５３からその複数の国の「仕向地（国名）」に対応する「主要言語」と、「英語」をオンスクリーン言語選択メニュー画面１７２に表示する。このオンスクリーン言語選択メニュー画面１７２からユーザーが選択した言語がテレビジョン放送受信装置１００の出力言語となる。例えば、「仕向地（国名）」が「インドネシア」、「タイ」、及び「ベトナム」であるときには、オンスクリーン言語選択用データテーブル１５３において対応する各々の国の「主要言語」である「インドネシア語」、「タイ語」、及び「ベトナム語」と、常に表示する「英語」、その他に「Please select the language(言語を選択して下さい)」がオンスクリーン言語選択メニュー画面１７２に表示される。次いで、ユーザーが「インドネシア語」を選択するとテレビジョン放送受信装置１００の仕向地が「インドネシア」、出力言語が「インドネシア語」に設定される。しかし、ユーザーが「英語」を選択すると、仕向地設定処理部１６０は、出力言語については「英語」と設定することができるが、仕向地を判別することができない。このような場合では、更に図７（４）に示すように「英語」でオンスクリーン国選択メニュー画面１７３を表示し、ユーザーが選択した国を仕向地として設定する。
【００２４】
なお、本実施形態のプラグ形状判定回路基板１３０において、ピン挿入口３１に形状判定回路３０の５つのスイッチを配置することで、ＡＣコード１２０のプラグ１２１の形状を判別するようにしたが、配置する位置やスイッチの数はこれに限定されない。例えば、ピン挿入口３２、またはピン挿入口３３にスイッチを設けるようにすることも可能である。また、複数のピン挿入口にスイッチを設けるようにし、こられのスイッチを組み合わせてＡＣコード１２０のプラグ１２１の形状を判別するようにすることも可能である。また、形状判定回路３０の各スイッチの状態を信号として取り込むようにし、その各々のスイッチに対応した信号を出力信号としてマイコン１４０に出力するようにすることも可能である。
【００２５】
以上の実施形態によれば、テレビジョン放送受信装置が多くの国や地域で共通に使用できるように設計されている場合においても、テレビジョン放送受信装置に最初に電力が供給されるときに、設定の手間を省くことができる。また、テレビジョン放送受信装置のローカルフィット性が高まるので、テレビジョン放送受信装置に対するユーザーのイメージを向上させることができる。
【００２６】
以上、本発明の実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００２７】
１ａ・・・・・・・ピン
１ｂ・・・・・・・ピン
２ａ・・・・・・・ピン
２ｂ・・・・・・・ピン
２ｃ・・・・・・・ピン
３ａ・・・・・・・ピン
３ｂ・・・・・・・ピン
４ａ・・・・・・・ピン
４ｂ・・・・・・・ピン
３０・・・・・・・・形状判定回路
３１・・・・・・・・ピン挿入口
３１ａ・・・・・・・スイッチ
３１ｂ・・・・・・・スイッチ
３１ｃ・・・・・・・スイッチ
３１ｄ・・・・・・・スイッチ
３１ｅ・・・・・・・スイッチ
３２・・・・・・・・ピン挿入口
３３・・・・・・・・ピン挿入口
４１・・・・・・・・出力端子
４２・・・・・・・・出力端子
１００・・・・・・・・テレビジョン放送受信装置
１１０・・・・・・・・電源基板
１１１・・・・・・・・電圧周波数検出処理部
１２０・・・・・・・・ＡＣコード
１２１・・・・・・・・プラグ
１３０・・・・・・・・プラグ形状判定回路基板
１３１・・・・・・・・プラグ挿入口
１４０・・・・・・・・マイコン
１４１・・・・・・・・仕向地判別処理部
１５０・・・・・・・・ＥＥＰＲＯＭ
１５１・・・・・・・・形状判定回路状態データテーブル
１５２・・・・・・・・仕向地判別データテーブル
１５３・・・・・・・・オンスクリーン言語選択用データテーブル
１６０・・・・・・・・仕向地設定処理部
１７１・・・・・・・・オンスクリーン言語選択メニュー画面
１７２・・・・・・・・オンスクリーン言語選択メニュー画面
１７３・・・・・・・・オンスクリーン国選択メニュー画面
２００・・・・・・・・住宅用電源
２０１・・・・・・・・プラグ挿入口
【図１】
2013187882.tif 000003
【図２】
2013187882.tif 000004
【図３】
2013187882.tif 000005
【図４】
2013187882.tif 000006
【図５】
2013187882.tif 000007
【図６】
2013187882.tif 000008
【図７】
2013187882.tif 000009